(57)【特許請求の範囲】
【請求項１】
土壌の含水比の測定方法であって、採取した既知重量の土壌を、土壌採取の現地で調達した水を使用して設定濃度となるように作製した所定量のショ糖水溶液に入れ、撹拌後、濾過して得た溶液の糖度を糖度計または屈折率計により測定する一方、ショ糖水溶液の作製に用いた現地調達の水の糖度を糖度計または屈折率計により測定し、該現地調達の水の測定糖度をブランクとして前記濾過して得た溶液の測定糖度を補正し、該補正した糖度に基づいて土壌の含水比を求めるようにしたことを特徴とする土壌の含水比の測定方法。
【請求項２】
土壌の含水比の測定方法であって、採取した既知重量の土壌を、土壌採取の現地で調達した水を使用して設定濃度となるように作製した所定量のショ糖水溶液に入れ、撹拌後、濾過して得た溶液の糖度を糖度計または屈折率計により測定する一方、前記設定濃度のショ糖水溶液の糖度を糖度計または屈折率計により測定し、該ショ糖水溶液の測定糖度と設定濃度との差をブランクとして前記濾過して得た溶液の測定糖度を補正し、該補正した糖度に基づいて土壌の含水比を求めるようにしたことを特徴とする土壌の含水比の測定方法。
【請求項３】
土壌の含水比の測定方法であって、採取した既知重量の土壌を、土壌採取の現地で調達した水を使用して設定濃度となるように作製した所定量のショ糖水溶液に入れ、撹拌して得た溶液の糖度を糖度計または屈折率計により測定する一方、ショ糖水溶液の作製に用いた現地調達の水の糖度を糖度計または屈折率計により測定し、該現地調達の水の測定糖度をブランクとして前記濾過して得た溶液の測定糖度を補正し、該補正した糖度に基づいて土壌の含水比を求めるようにしたことを特徴とする土壌の含水比の測定方法。
【請求項４】
土壌の含水比の測定方法であって、採取した既知重量の土壌を、土壌採取の現地で調達した水を使用して設定濃度となるように作製した所定量のショ糖水溶液に入れ、撹拌して得た溶液の糖度を糖度計または屈折率計により測定する一方、前記設定濃度のショ糖水溶液の糖度を糖度計または屈折率計により測定し、該ショ糖水溶液の測定糖度と設定濃度との差をブランクとして前記濾過して得た溶液の測定糖度を補正し、該補正した糖度に基づいて土壌の含水比を求めるようにしたことを特徴とする土壌の含水比の測定方法。
【請求項５】
土壌の含水率の測定方法であって、採取した既知重量の土壌を、土壌採取の現地で調達した水を使用して設定濃度となるように作製した所定量のショ糖水溶液に入れ、撹拌後、濾過して得た溶液の糖度を糖度計または屈折率計により測定する一方、ショ糖水溶液の作製に用いた現地調達の水の糖度を糖度計または屈折率計により測定し、該現地調達の水の測定糖度をブランクとして前記濾過して得た溶液の測定糖度を補正し、該補正した糖度に基づいて土壌の含水率を求めるようにしたことを特徴とする土壌の含水率の測定方法。
【請求項６】
土壌の含水率の測定方法であって、採取した既知重量の土壌を、土壌採取の現地で調達した水を使用して設定濃度となるように作製した所定量のショ糖水溶液に入れ、撹拌後、濾過して得た溶液の糖度を糖度計または屈折率計により測定する一方、前記設定濃度のショ糖水溶液の糖度を糖度計または屈折率計により測定し、該ショ糖水溶液の測定糖度と設定濃度との差をブランクとして前記濾過して得た溶液の測定糖度を補正し、該補正した糖度に基づいて土壌の含水率を求めるようにしたことを特徴とする土壌の含水率の測定方法。
【請求項７】
土壌の含水率の測定方法であって、採取した既知重量の土壌を、土壌採取の現地で調達した水を使用して設定濃度となるように作製した所定量のショ糖水溶液に入れ、撹拌して得た溶液の糖度を糖度計または屈折率計により測定する一方、ショ糖水溶液の作製に用いた現地調達の水の糖度を糖度計または屈折率計により測定し、該現地調達の水の測定糖度をブランクとして前記濾過して得た溶液の測定糖度を補正し、該補正した糖度に基づいて土壌の含水率を求めるようにしたことを特徴とする土壌の含水率の測定方法。
【請求項８】
土壌の含水率の測定方法であって、採取した既知重量の土壌を、土壌採取の現地で調達した水を使用して設定濃度となるように作製した所定量のショ糖水溶液に入れ、撹拌して得た溶液の糖度を糖度計または屈折率計により測定する一方、前記設定濃度のショ糖水溶液の糖度を糖度計または屈折率計により測定し、該ショ糖水溶液の測定糖度と設定濃度との差をブランクとして前記濾過して得た溶液の測定糖度を補正し、該補正した糖度に基づいて土壌の含水率を求めるようにしたことを特徴とする土壌の含水率の測定方法。
【発明の詳細な説明】
【技術分野】
【０００１】
本発明は、土壌の含水比、含水率の測定方法の技術分野に関するものである。
【背景技術】
【０００２】
一般に、土壌に含まれる水分の割合（含水比、含水率）を知ることは、植生の生育に対する影響、地下水の挙動、盛り土などを含めた斜面崩壊のメカニズムの解析、洪水発生予測等の研究をするにあたり重要な要素の一つであり、そのため日本工業規格としてＪＩＳ  Ａ  １２０３で「土の含水比試験方法」が規格されている。このものは、土壌の含水比を、採取した土壌の重量とこれを炉内で乾燥した後の重量とをそれぞれ測定することに基づいて求めるようにしている所謂炉乾燥法である。ところが土壌の乾燥には、１１０±５℃に保持した恒温乾燥炉内にて１８〜２４時間もの長時間の乾燥が必要であって作業性が悪いだけでなく、恒温乾燥炉が土壌の採取現場にあることはまずなく、採取した土壌を高温乾燥炉を備えた実験室等に持ち帰って乾燥させなければならず、また実験室まで採取時の含水比を維持したまま持ち込まなければならず、このための特別な技術と操作も必要となり、手間がかかるという問題がある。
これに対し、土壌水分の測定方法として、テンシオメータ法（特許文献１参照）、誘電法（特許文献２参照）、電気抵抗法（特許文献３参照）、熱伝導法（特許文献４参照）、電磁波法（特許文献５参照）等の多くの手法が知られている。
【先行技術文献】
【特許文献】
【０００３】
【特許文献１】特開平７−２４４０４０号公報
【特許文献２】特許第２９１３０２２号公報
【特許文献３】特開２００４−７７３５３号公報
【特許文献４】特開２００６−１９４８２１号公報
【特許文献５】特開２００９−９８０１８号公報
【発明の概要】
【発明が解決しようとする課題】
【０００４】
しかしながら前記従来のもののうち、特許文献１、２、５のものは装置自体が大型であるうえ、土壌に埋設しなければならず、作業性が劣る、という問題がある。これに対し特許文献３、４のものはセンサ自体を小型にできる、という利点があるが、予め採取した土壌を乾燥させて該乾燥土壌における電気抵抗値や熱伝導率を測定し、さらに該乾燥土壌に所要量の水分を含浸させたものの幾つかについて電気抵抗値や熱伝導率を測定して検量線を作成する必要があるが、土質が異なった場合に同じ検量線を採用できるとは限らず、そのため土質が異なる測定現場ごとにこれらの検量線をいちいち作成しなければならないこともあって面倒かつ煩雑であるという問題がある。さらに、特許文献１〜５のものは、実験室まで採取時の含水比を維持したまま土壌を持ち込まなければならない点は依然として解決されておらず、ここに本発明の解決すべき課題がある。
【課題を解決するための手段】
【０００５】
本発明は、上記の如き実情に鑑みこれらの課題を解決することを目的として創作されたものであって、請求項１の発明は、土壌の含水比の測定方法であって、採取した既知重量の土壌を、土壌採取の現地で調達した水を使用して設定濃度となるように作製した所定量のショ糖水溶液に入れ、撹拌後、濾過して得た溶液の糖度を糖度計または屈折率計により測定する一方、ショ糖水溶液の作製に用いた現地調達の水の糖度を糖度計または屈折率計により測定し、該現地調達の水の測定糖度をブランクとして前記濾過して得た溶液の測定糖度を補正し、該補正した糖度に基づいて土壌の含水比を求めるようにしたことを特徴とする土壌の含水比の測定方法である。
請求項２の発明は、土壌の含水比の測定方法であって、採取した既知重量の土壌を、土壌採取の現地で調達した水を使用して設定濃度となるように作製した所定量のショ糖水溶液に入れ、撹拌後、濾過して得た溶液の糖度を糖度計または屈折率計により測定する一方、前記設定濃度のショ糖水溶液の糖度を糖度計または屈折率計により測定し、該ショ糖水溶液の測定糖度と設定濃度との差をブランクとして前記濾過して得た溶液の測定糖度を補正し、該補正した糖度に基づいて土壌の含水比を求めるようにしたことを特徴とする土壌の含水比の測定方法である。
請求項３の発明は、土壌の含水比の測定方法であって、採取した既知重量の土壌を、土壌採取の現地で調達した水を使用して設定濃度となるように作製した所定量のショ糖水溶液に入れ、撹拌して得た溶液の糖度を糖度計または屈折率計により測定する一方、ショ糖水溶液の作製に用いた現地調達の水の糖度を糖度計または屈折率計により測定し、該現地調達の水の測定糖度をブランクとして前記濾過して得た溶液の測定糖度を補正し、該補正した糖度に基づいて土壌の含水比を求めるようにしたことを特徴とする土壌の含水比の測定方法である。
請求項４の発明は、土壌の含水比の測定方法であって、採取した既知重量の土壌を、土壌採取の現地で調達した水を使用して設定濃度となるように作製した所定量のショ糖水溶液に入れ、撹拌して得た溶液の糖度を糖度計または屈折率計により測定する一方、前記設定濃度のショ糖水溶液の糖度を糖度計または屈折率計により測定し、該ショ糖水溶液の測定糖度と設定濃度との差をブランクとして前記濾過して得た溶液の測定糖度を補正し、該補正した糖度に基づいて土壌の含水比を求めるようにしたことを特徴とする土壌の含水比の測定方法である。
請求項５の発明は、土壌の含水率の測定方法であって、採取した既知重量の土壌を、土壌採取の現地で調達した水を使用して設定濃度となるように作製した所定量のショ糖水溶液に入れ、撹拌後、濾過して得た溶液の糖度を糖度計または屈折率計により測定する一方、ショ糖水溶液の作製に用いた現地調達の水の糖度を糖度計または屈折率計により測定し、該現地調達の水の測定糖度をブランクとして前記濾過して得た溶液の測定糖度を補正し、該補正した糖度に基づいて土壌の含水率を求めるようにしたことを特徴とする土壌の含水率の測定方法である。
請求項６の発明は、土壌の含水率の測定方法であって、採取した既知重量の土壌を、土壌採取の現地で調達した水を使用して設定濃度となるように作製した所定量のショ糖水溶液に入れ、撹拌後、濾過して得た溶液の糖度を糖度計または屈折率計により測定する一方、前記設定濃度のショ糖水溶液の糖度を糖度計または屈折率計により測定し、該ショ糖水溶液の測定糖度と設定濃度との差をブランクとして前記濾過して得た溶液の測定糖度を補正し、該補正した糖度に基づいて土壌の含水率を求めるようにしたことを特徴とする土壌の含水率の測定方法である。
請求項７の発明は、土壌の含水率の測定方法であって、採取した既知重量の土壌を、土壌採取の現地で調達した水を使用して設定濃度となるように作製した所定量のショ糖水溶液に入れ、撹拌して得た溶液の糖度を糖度計または屈折率計により測定する一方、ショ糖水溶液の作製に用いた現地調達の水の糖度を糖度計または屈折率計により測定し、該現地調達の水の測定糖度をブランクとして前記濾過して得た溶液の測定糖度を補正し、該補正した糖度に基づいて土壌の含水率を求めるようにしたことを特徴とする土壌の含水率の測定方法である。
請求項８の発明は、土壌の含水率の測定方法であって、採取した既知重量の土壌を、土壌採取の現地で調達した水を使用して設定濃度となるように作製した所定量のショ糖水溶液に入れ、撹拌して得た溶液の糖度を糖度計または屈折率計により測定する一方、前記設定濃度のショ糖水溶液の糖度を糖度計または屈折率計により測定し、該ショ糖水溶液の測定糖度と設定濃度との差をブランクとして前記濾過して得た溶液の測定糖度を補正し、該補正した糖度に基づいて土壌の含水率を求めるようにしたことを特徴とする土壌の含水率の測定方法である。
【発明の効果】
【０００６】
請求項１、２、３、４の発明とすることにより、土壌の含水比を、土壌採取現場において現地調達した水を用いて簡単に求めることができる。
請求項５、６、７、８の発明とすることにより、土壌の含水率を、土壌採取現場において現地調達した水を用いて簡単に求めることができる。
【図面の簡単な説明】
【０００７】
【図１】土壌の含水比、含水率の測定方法を示すフロー図である。
【図２】糖度と土壌含水比との関係を示す検量線のグラフ図である。
【発明を実施するための形態】
【０００８】
以下、本発明の実施の形態について説明する。
本実施の形態では、糖度の測定に糖度計を用いているが、ショ糖水溶液の糖度（Ｂｒｉｘ）と屈折率とは換算表等を用いて簡単に換算することができるため、屈折率計によって屈折率を測定し、該測定した屈折率を糖度に換算することで糖度を測定するようにしても良い。つまり、本発明における糖度の測定は、糖度計により直接糖度を測定した場合だけでなく、屈折率計により屈折率を測定し、該測定した屈折率を糖度に換算した場合も含める。
本発明は、ショ糖水溶液の屈折率を基準値として水溶液の糖度（Ｂｒｉｘ）を測定する糖度計（屈折糖度計）、或いは水溶液の屈折率を測定する屈折率計が広く知られているが、このような糖度計により測定されるショ糖水溶液の糖度、或いは屈折率計により測定される屈折率を糖度に換算して求めたショ糖水溶液の糖度は、該ショ糖水溶液のショ糖濃度（重量％濃度）を示す値であるから、糖度計あるいは屈折率計を用いてショ糖水溶液のショ糖濃度を簡単且つ正確に測定できることを利用して、土壌の含水比、含水率を測定しようとするものである。
この測定に用いるショ糖（シュークロース：ｓｕｃｒｏｓｅ）は、水に対する溶解度が２１１．５ｇ／１００ｍＬ（２０℃）もあって溶解しやすいものであり、土壌中の水分にも容易に溶解する。そのうえショ糖は、人体や自然環境に対して無害であるため、測定後、ショ糖水溶液を測定現場に廃棄しても環境上問題になることがない。尚、以下の説明において、ショ糖濃度は全て重量％濃度である。
さらに本発明では、土壌の含水比、含水率の測定に用いるショ糖水溶液を、土壌採取の現地で調達した水（例えば、地下水、井戸水、河川水、湧水等の水）を使用して作製する。これにより、実験室で濃度調製したショ糖水溶液を濃度維持したまま現場まで運ぶ手間や労力を省くことができる。因みに、液体の輸送は、容器の重量や密閉度、安定性など、注意が必要であって手間と労力とを要する。
【０００９】
図１に土壌の含水比或いは含水率を測定する手順をフロー図で示すが、まず、現場で重量Ａグラムの土壌試料を採取する。さらに、土壌採取の現地で調達した水（例えば、地下水、井戸水、河川水、湧水等の水であって、成分未調整の水）を用いて、ショ糖濃度Ｂ％のショ糖水溶液を作製する。この場合に、ショ糖水溶液のショ糖濃度は、土壌の湿潤状態を見て適宜（例えば、ショ糖濃度１０％〜６０％）決定する。
次いで、採取した重量Ａグラムの土壌試料を、前記ショ糖濃度Ｂ％のショ糖水溶液ＣｍＬに入れて、よく撹拌した後に濾過する。濾過する際のフィルターとしては、水が浸潤しない材料で製造したものが好ましく、例えばガラス製やシリコーン、ポリテトラフルオロエチレンのような合成樹脂製等のものが採用される。
次いで、前記撹拌後に濾過して得られた溶液（該溶液を、以降、試料溶液と称する）の糖度Ｄ％を糖度計により測定する。糖度の測定は、市販されている汎用の糖度計（屈折糖度計）を用いて行うことができる。この場合に、携帯型であれば現場に簡単に持参でき、都合がよい。また、前述したように、糖度計に代えて屈折計により屈折率を測定し、該屈折率から糖度を求めても良い。
【００１０】
次いで、前記糖度計により測定された試料溶液の糖度Ｄ％をブランク補正する。この場合、前記ショ糖水溶液の作製に使用した現地調達の水の糖度Ｅ％を糖度計により測定し、該測定した糖度Ｅ％をブランクとする。そして、前記試料溶液の糖度Ｄ％から上記ブランクＥ％を減じ、該減じた値を、補正した糖度（補正糖度）Ｄｈ％（Ｄｈ＝Ｄ−Ｅ）とする。そして、該補正糖度Ｄｈ％に基づき、予め作成した検量線を用いて、土壌の含水比（（土壌中の水の重量／土壌中の乾燥土壌の重量）×１００％）、或いは含水率（（土壌中の水の重量／土壌の重量）×１００％）を求める。
【００１１】
このように、本発明は、設定濃度のショ糖水溶液に土壌を入れて撹拌することで、ショ糖水溶液のショ糖濃度を土壌に含まれる水分によって希釈し、該希釈されたショ糖濃度を糖度計または屈折率計によって測定することで土壌の含水比、含水率を求めるものであるが、この場合に、上記設定濃度のショ糖水溶液の作製には、土壌採取の現地で調達した水（地下水、井戸水、河川水、湧水等の水であって、成分未調整の水）をそのまま使用する。これにより、予め濃度調整したショ糖水溶液を、濃度変化しないように密封した状態で現場まで運ぶ手間や労力を省くことができる。さらに、土壌には、バックグラウンドとして糖度の測定値に影響を与える物質が含まれていることがあり、この場合には、糖度計または屈折率計によって測定される糖度が実際のショ糖濃度よりも高くなってしまうが、同様のバックグラウンドを含む現地調達の水を使用してショ糖水溶液を作製するとともに該水の測定糖度をブランクとして用いることによって、現地調達した水や土壌に含まれるバックグラウンド物質（糖度の測定値に影響を与える物質）の影響を殆ど受けることなく、土壌の含水比、含水率を正確に測定することができる。
【００１２】
具体的には、例えば、現地調達した水５０グラムとショ糖５０グラムとを用いてショ糖濃度５０％のショ糖水溶液を作製する。次いで、５０ｍＬのプラスチック製試験管またはバッグ等の容器に土壌試料１５グラムを入れ、このものに、前記作製したショ糖水溶液１５ｍＬを入れてよく振盪（例えば２分間）し、これを濾過（例えば孔径０．４５μｍのフィルター）して得られた試料溶液の糖度Ｄ％を糖度計により測定する。また、前記現地調達した水の糖度Ｅ％を糖度計により測定し、これをブランクとする。そして、前記試料溶液の糖度Ｄ％からブランクＥ％を減じた値を補正糖度Ｄｈ％とし、該補正糖度Ｄｈ％に基づき、予め作製した検量線を用いて、土壌の含水比或いは含水率を求める。
尚、土壌試料に含まれる粘土分が少ない場合など、ショ糖水溶液と振盪後に得られた溶液の濁度が低い場合には濾過を省略することができ、たいていの土壌試料においては濾過を省略して差し支えない。また、現地調達した水が濁っている場合には濾過し、該濾過した水を現地調達した水としても良い。
【００１３】
前記補正糖度Ｄｈ％に基づいて土壌の含水比を求める場合、前述したように予め作成した検量線を用いるが、該検量線の作成には、複数の設定濃度に調整したショ糖水溶液について、該ショ糖水溶液に加える土壌の含水比を０％から例えば１１０％まで変化させたときの糖度の変化曲線を求め、これを検量線として図２に示すようにグラフ化させておく。そして、例えば土壌採取の現場で作製したショ糖濃度５０％のショ糖水溶液を使用して土壌の含水比を測定する場合、前記補正糖度Ｄｈが４０％であった場合には、図２の糖度の検量線から土壌の含水比は６０％であると判断される。因みに、図２の糖度の検量線は、ショ糖水溶液の濃度が上から順に６０％、５０％、４０％、３０％、２０％、１０％のものである。
また、土壌の含水率を求める場合には、前述した含水比を求める場合と同様に、複数の設定濃度に調整したショ糖水溶液について、該ショ糖水溶液に加える土壌の含水率を変化させたときの糖度の変化曲線を求めてこれを検量線として作成しておき、該検量線を用いて含水率を求める。因みに、含水比と含水率との両方の値を測定したい場合、何れか一方の値が判れば他方は計算により求めることができるから、検量線は、含水比と含水率との何れか一方のものを作成すればよい。
【００１４】
尚、本実施の形態では、検量線の作成にあたり、ショ糖水溶液の量（ミリリットル数）と該ショ糖水溶液に加える土壌の量（グラム数）との比を１：１としており、このため、前記具体例においても、ショ糖水溶液の量（１５ｍＬ）と土壌試料の量（１５グラム）との比を１：１にしているが、これに限定されることなく、検量線を別に作成するのであれば、異なる比であっても勿論よいが、作業手順の錯誤を防止するうえからは、これらの比は同じにしておいた方が安全である。また、検量線の作成に用いるショ糖水溶液の水、土壌は、糖度に影響を与える物質を含まないもの（含んでいても、糖度の測定値に殆ど影響しない極微量）が使用されている。
【００１５】
また、前記糖度計により測定された試料溶液の糖度Ｄ％をブランク補正する場合に、前記実施の形態（第一の実施の形態）では、ショ糖水溶液の作製に使用した現地調達の水の測定糖度Ｅ％をブランクとしたが、以下の第二の実施の形態のようにしてブランクを求めることもできる。
【００１６】
つまり、第二の実施の形態では、現地調達の水を用いて作製したショ糖濃度Ｂ％のショ糖水溶液の糖度Ｆ％を糖度計により測定し、該測定された糖度Ｆ％からショ糖濃度Ｂ％を減じて、該減じた値をブランクＧ％（Ｇ＝Ｆ−Ｂ）とする。このようにして求めた第二の実施の形態のブランクＧ％は、現地調達の水を用いて作製したショ糖濃度Ｂ％のショ糖水溶液中において、糖度の測定値にカウントされる物質のうちショ糖水溶液の作製に使用したショ糖以外の物質の糖度であり、また、前記第一の実施の形態のブランクＥ％は、現地調達の水に含まれる糖度の測定値にカウントされる物質の糖度であるから、理論的には第一の実施の形態のブランクＥ％と第二の実施の形態のブランクＧ％とは同じ値（Ｅ＝Ｇ）であって、何れのブランクＥ％またはＧ％を用いても良いといえる。
【００１７】
このように本発明が実施されたものにおいては、採取した既知重量の土壌を、土壌採取の現地で調達した水を使用して設定濃度（ショ糖濃度Ｂ％）となるように作製した所定量のショ糖水溶液に入れ、撹拌後、濾過して得た溶液の糖度Ｄ％を糖度計または屈折率計により測定する一方、ショ糖水溶液の作製に用いた現地調達の水の糖度Ｅ％を糖度計または屈折率計により測定し、該現地調達の水の測定糖度Ｅ％をブランクとして前記濾過して得た溶液の糖度Ｄ％を補正し、該補正した糖度Ｄｈ％に基づいて土壌の含水比、含水率を求めるようにしたものであるから、土壌の採取現場において土壌の含水比、含水率を簡単に求めることができる。而して、実験室まで採取時の含水比、含水率を維持したまま土壌を持ち込む必要がないうえ、従来のような面倒な作業も不要になって、含水比、含水率の測定作業の効率を大幅に向上させることができる。
しかも、前記設定濃度のショ糖水溶液の作製には、土壌採取の現地で調達した水を使用するとともに、溶液の測定糖度をブランクにより補正しているから、実験室で濃度調製したショ糖水溶液を濃度維持したまま現場まで運ぶ手間や労力を省くことができるうえ、現地調達した水や土壌に含まれるバックグラウンド物質（糖度に影響を与える物質）の有無や強弱を気にすることなく、土壌の含水比、含水率を正確に測定することができる。
尚、この場合に、濾過操作は場合によっては省略することができるのは前述のとおりである。また、溶液の糖度の補正に用いるブランクとしては、設定濃度（ショ糖濃度Ｂ％）のショ糖水溶液の糖度Ｆ％を糖度計または屈折率計により測定し、該ショ糖水溶液の測定糖度Ｆ％と設定濃度Ｂ％との差をブランクＧ％（Ｇ＝Ｆ−Ｂ）としても良いことも前述のとおりである。
さらに、糖度の測定は、糖度計により直接糖度を測定する場合だけでなく、屈折率計により屈折率を測定し、該測定した屈折率を糖度に換算する場合も含めることも、前述のとおりである。
しかもショ糖は人体や自然環境に対して無害であるため、測定後、採取現場に廃棄しても公害等の問題が発生することがなく、また、グリセリンのように消防法の適用を受けることもなく、調達や管理が容易である。
【産業上の利用可能性】
【００１８】
本発明は、土壌の含水比、含水率を測定する場合に利用することができる。
【図１】
0006270770.tif 000002
【図２】
0006270770.tif 000003